(57)【要約】【課題】被固定部材にＬＥＤを容易に固定する。【解決手段】固定具１０は、孔１４にＬＥＤが固定される筒状の本体部１１、本体部１１の軸線方向の一端側にて外方に突出する抜戻り防止部１２、及び本体部１１の軸線方向の他端側にて外方に突出する抜出し防止部１３を備えている。ここで、板部材の貫通孔に本体部１１を挿入した際、防止部１２，１３で本体部１１が貫通孔から抜けないよう板部材に係止される。この挿入のとき、抜戻り防止部１２が本体部１１の内方に可撓性を有するため、抜戻り防止部１２を撓ませることで、本体部１１が貫通孔にスムーズに挿入されると共に、抜出し防止部１３が板部材を一端側に付勢するため、係止された防止部１２，１３で板部材が強く挟持され、よって、固定具１０が板部材に固定される。従って、本体部１１を貫通孔に挿入するだけで固定具１０及びＬＥＤを貫通孔内に固定できる。【選択図】図３
2010267861.tif 000002
【特許請求の範囲】
【請求項１】
被固定部材にＬＥＤを固定するためのＬＥＤ固定具であって、
筒状を呈し、その孔内に前記ＬＥＤが固定されると共に、前記被固定部材の貫通孔へ挿入される本体部と、
前記本体部の軸線方向の一端側にて外方に突出するよう設けられ、前記被固定部材に前記軸線方向に係止される第１係止部と、
前記本体部の前記軸線方向の他端側にて外方に突出するよう設けられ、前記被固定部材に前記軸線方向に係止される第２係止部と、を備え、
前記第１係止部は、前記本体部の内方に可撓性を有しており、
前記第２係止部は、前記一端側に向けて前記被固定部材を付勢することを特徴とするＬＥＤ固定具。
【請求項２】
前記第１係止部は、前記本体部の壁部において内方に可撓に設けられ、外方に凸状の爪を含んで構成され、
前記第２係止部は、前記本体部の壁部において対向する位置に一対設けられ、前記一端側に向かって拡開するよう突出すると共にその拡開方向に可撓性を有する拡開片を含んで構成されていることを特徴とする請求項１記載のＬＥＤ固定具。
【請求項３】
前記第１及び第２係止部は、前記軸線方向回りに互いに９０°ずれて配置されていることを特徴とする請求項２記載のＬＥＤ固定具。
【請求項４】
前記本体部の前記孔を構成する内面は、前記一端側に向かって狭まるようなテーパ面又は段付きテーパ面であることを特徴とする請求項１〜３の何れか一項記載のＬＥＤ固定具。
【請求項５】
樹脂によって形成されて成り、その樹脂色が前記ＬＥＤの光の指向性に応じて設定されていることを特徴とする請求項１〜４の何れか一項記載のＬＥＤ固定具。
【請求項６】
請求項１〜５の何れか一項記載のＬＥＤ固定具と、前記被固定部材としての板部材と、前記ＬＥＤ固定具で前記板部材に固定されたＬＥＤと、を備えたことを特徴とするＬＥＤ表示板。
【発明の詳細な説明】
【技術分野】
【０００１】
本発明は、被固定部材にＬＥＤを固定するためのＬＥＤ固定具、及びこれを用いたＬＥＤ表示板に関する。
【背景技術】
【０００２】
従来、例えば特許文献１，２に記載されているように、被固定部材の貫通孔にＬＥＤが固定されたＬＥＤ表示板が知られている。このようなＬＥＤ表示板では、例えば図１０に示すように、被固定部材３の貫通孔４にＬＥＤ２を挿入した後、接着硬化性の有する接着剤Ｐ等を用いてＬＥＤ２を被固定部材３に接着することで、貫通孔４にＬＥＤ２を直接固定している。
【先行技術文献】
【特許文献】
【０００３】
【特許文献１】特開２００７−２７９３２４号公報
【特許文献２】特開２００８−７０８９１号公報
【発明の概要】
【発明が解決しようとする課題】
【０００４】
しかしながら、上述したような従来技術では、接着剤に硬化時間が必要であったり、接着作業が大変であったり等することから、被固定部材の貫通孔にＬＥＤを固定することが困難とされている。
【０００５】
そこで、本発明は、被固定部材にＬＥＤを容易に固定することができるＬＥＤ固定具、及びこれを用いたＬＥＤ表示板を提供することを課題とする。
【課題を解決するための手段】
【０００６】
上記課題を解決するため、本発明に係るＬＥＤ固定具は、被固定部材にＬＥＤを固定するためのＬＥＤ固定具であって、筒状を呈し、その孔内にＬＥＤが固定されると共に、被固定部材の貫通孔へ挿入される本体部と、本体部の軸線方向の一端側にて外方に突出するよう設けられ、被固定部材に軸線方向に係止される第１係止部と、本体部の軸線方向の他端側にて外方に突出するよう設けられ、被固定部材に軸線方向に係止される第２係止部と、を備え、第１係止部は、本体部の内方に可撓性を有しており、第２係止部は、一端側に向けて被固定部材を付勢することを特徴とする。
【０００７】
このＬＥＤ固定具では、例えば被固定部材の貫通孔に本体部をその一端側から挿入した場合、第１及び第２係止部によって本体部が貫通孔から抜けないよう被固定部材に係止される。この挿入の際、第１係止部が本体部の内方に可撓性を有するため、第１係止部を内方に撓ませることで、第１係止部で阻害されることなく本体部が貫通孔にスムーズに挿入される。さらに、第２係止部が被固定部材を一端側に付勢するため、第１及び第２係止部で被固定部材が強く挟持されることになり、その結果、本体部が被固定部材に軸線方向に固定されることになる。従って、本体部を被固定部材の貫通孔に挿入するだけで、該貫通孔にＬＥＤ固定具が固定され、本体部の孔内に固定されたＬＥＤも貫通孔に固定される。すなわち、被固定部材の貫通孔にＬＥＤを容易に固定することが可能となる。
【０００８】
ここで、上記作用効果を好適に奏する構成として、具体的には、第１係止部は、本体部の壁部において内方に可撓に設けられ、外方に凸状の爪を含んで構成され、第２係止部は、本体部の壁部において対向する位置に一対設けられ、一端側に向かって拡開するよう突出すると共にその拡開方向に可撓性を有する拡開片を含んで構成されているものが挙げられる。
【０００９】
このとき、第１及び第２係止部は、軸線方向回りに互いに９０°ずれて配置されていることが好ましい。この場合、例えばＬＥＤ固定具を一体成形で形成する場合において、上型と下型の抜き方向が好適に考慮されることになる。
【００１０】
また、本体部の孔を構成する内面は、一端側に向かって狭まるようなテーパ面又は段付きテーパ面であることが好ましい。この場合、種々の大きさのＬＥＤをも本体部の他端側から孔に挿入するだけで確実に固定することができる。
【００１１】
また、樹脂によって形成されて成り、その樹脂色がＬＥＤの光の指向性に応じて設定されていることが好ましい。この場合、例えば固定されるＬＥＤに指向性の高い砲弾タイプを用いる場合、光を吸収する黒色に樹脂色が設定される。これにより、ＬＥＤの光（以下、「ＬＥＤ光」という）の指向性を強調させ、ＬＥＤ光を鮮明に見せることができる。また、例えば固定されるＬＥＤに指向性の低い拡散タイプ（逆円錐タイプ）を用いる場合、白色又は乳白色の樹脂色が設定される。これにより、ＬＥＤ固定具の内部でＬＥＤ光を乱反射させ、ＬＥＤ光を大きく見せることができる。
【００１２】
また、本発明に係るＬＥＤ表示板は、上記ＬＥＤ固定具と、被固定部材としての板部材と、ＬＥＤ固定具で板部材に固定されたＬＥＤと、を備えたことを特徴とする。
【００１３】
このＬＥＤ表示板においても、板部材にＬＥＤを容易に固定することができるという上記効果と同様な効果を奏する。
【発明の効果】
【００１４】
本発明によれば、被固定部材にＬＥＤを容易に固定することが可能となる。
【図面の簡単な説明】
【００１５】
【図１】本実施形態のＬＥＤ表示板を示す正面図である。
【図２】図１のII−II線に沿っての断面図である。
【図３】（ａ）は本実施形態のＬＥＤ固定具を示す斜視図であり、（ｂ）は図３（ａ）のＬＥＤ固定具の上面図である。
【図４】（ａ）は図３（ａ）のＬＥＤ固定具の一部を断面化して示す正面図であり、（ｂ）は図３（ａ）のＬＥＤ固定具の一部を断面化して示す側面図である。
【図５】本実施形態のＬＥＤ固定具を用いてＬＥＤを固定する場合を説明するための図４（ａ）の断面に対応する断面図である。
【図６】本実施形態のＬＥＤ固定具を用いてＬＥＤを固定する場合を説明するための図４（ｂ）の断面に対応する断面図である。
【図７】本実施形態のＬＥＤ固定具の成形を説明するための図である。
【図８】他の実施形態のＬＥＤ固定具を示す断面図である。
【図９】さらに他の実施形態のＬＥＤ固定具を示す断面図である。
【図１０】従来のＬＥＤ表示板を示す断面図である。
【発明を実施するための形態】
【００１６】
以下、添付図面を参照して、本発明の好適な実施形態について詳細に説明する。なお、以下の説明において、同一又は相当要素には同一符号を付し、重複する説明を省略する。
【００１７】
図１は本実施形態のＬＥＤ表示板を示す正面図、図２は図１のII−II線に沿っての一部断面図である。図１に示すように、本実施形態のＬＥＤ（Light Emitting Diode）表示板１は、例えば看板等に用いられる発光表示板である。このＬＥＤ表示板１では、複数のＬＥＤ２が板部材３の複数の貫通孔４のそれぞれにＬＥＤ固定具１０で固定されており、各ＬＥＤ２の点灯と消灯とが適宜制御されることで、板部材３の表面３ａ上にて例えばセグメント方式で文字や数字や絵が発光表示される。
【００１８】
ＬＥＤ２は、発光源として機能するものである。図２に示すように、このＬＥＤ２は、例えばφ３〜７ｍｍの円柱状外形を呈しており、ＬＥＤ光の出射面２ａの中央に形成された逆円錐状の凹部２ｂを有している。つまり、ここでのＬＥＤ２は、ＬＥＤ光の指向性が低くＬＥＤ光が拡散されるよう構成された拡散型（逆円錐型）とされている。また、ＬＥＤ２では、その各端子２ｃが収縮チューブ２ｄで覆われており、これにより、その防水性が高められている。
【００１９】
なお、適用可能なＬＥＤ２としては、拡散型のものに限定されず、出射面が出射方向に凸形状の砲弾型のものや、その外形が平たい（扁平な）マウント型のものでもよく、様々なＬＥＤ２を適用してもよい。
【００２０】
板部材３は、例えば厚さが１〜５ｍｍのアルミ合金で形成されている。この板部材３では、孔開け加工が施されて貫通孔４が複数形成されている。具体的には、板部材３には、その表面３ａ及び裏面３ｂに開口する貫通孔４がマトリクス状に複数設けられている。なお、この板部材３は、その他の金属で形成してもよく、樹脂で形成してもよい。また、貫通孔４の直径は、φ５〜１２ｍｍが好ましく、ここでは、φ８〜９ｍｍとされている。
【００２１】
図３，４は、本実施形態のＬＥＤ固定具を示す各図である。ＬＥＤ固定具１０は、板部材３の貫通孔４にＬＥＤ２を固定し取り付けるためのものである。このＬＥＤ固定具１０は、図３，４に示すように、円筒状の本体部１１と、本体部１１において軸線Ｇ方向の一端側（図示下側：以下、単に「一端側」という）に一体で設けられた抜戻り防止部１２と、本体部１１において軸線Ｇ方向の他端側（図示上側：以下、単に「他端側」という）に一体で設けられた抜出し防止部１３と、備えている。
【００２２】
本体部１１は、図４に示すように、その孔１４内にＬＥＤ２が他端側から挿入され固定されると共に、その一端側から板部材３の貫通孔４内へ挿入されるものである。この本体部１１の孔１４を構成する内面１５は、一端側に向かって狭まるような段付きテーパ面とされ、ここでは、２段の段付きテーパ面とされている。具体的には、内面１５は、一端側に行くに従って内側に傾斜する傾斜面１５ａ，１５ａ，１５ａが、軸線Ｇ方向と直交する面１５ｂ，１５ｂで連結されように構成されている。
【００２３】
また、本体部１１の一端側の角部には、先細りとなるよう面取り面１６が形成されている。さらに、本体部１１において他端から軸線Ｇ方向に所定長の領域には、フランジ１７が設けられており、本体部１１の肉厚が厚くされている。
【００２４】
抜戻り防止部１２は、本体部１１の外方に突出するよう設けられており、貫通孔４に挿入された本体部１１が抜け戻らないよう板部材３に軸線Ｇ方向に係止される第１係止部として機能するものである。また、抜戻り防止部１２は、本体部１１の内方に可撓性（バネ機能）を有している。この抜戻り防止部１２は、本体部１１の壁部１８において対向する位置に一対設けられており、爪２０を含んでいる。
【００２５】
爪２０は、一端側を上にするＵ字状の空間（スリット）Ｓが壁部１８に形成されるようにして成り、内方に可撓性を有している。換言すると、爪２０にあっては、壁部１８に形成された矩形状の孔内において、一端側に連続し該一端側を基端部１９ａ（図３（ａ）参照）として片持ち状に設けられ、この基端部１９ａを中心に径方向内側に撓むようになっている。また、この爪２０は、外方に凸状となるよう設けられている。ここでは、爪２０は、一端側にテーパ面２０ａを有する山型に構成されている。
【００２６】
図３（ａ），図４（ａ）に示すように、抜出し防止部１３は、本体部１１の外方に突出するよう設けられており、貫通孔４に挿入された本体部１１が抜け出ないよう板部材３に軸線Ｇ方向に係止される第２係止部として機能するものである。また、抜出し防止部１３は、かかる係止状態において板部材３を一端側に向けて付勢する付勢部としても機能する。
【００２７】
この抜出し防止部１３は、本体部１１の壁部１８において対向する位置に一対設けられている。また、ここでの抜出し防止部１３は、上記抜戻り防止部１２に対し軸線Ｇ方向視で周方向に重ならないよう構成されており、抜戻り防止部１２と軸線Ｇ方向回りに互いに９０°ずれて配置されている。具体的には、抜出し防止部１２における周方向中心と抜出し防止部１３における周方向中心とが、互いに９０°ずれて配置されている。なお、この「９０°」とは、略９０°を含み、製造上の誤差やバラツキを含んでいる。この抜出し防止部１３は、拡開片２１を含んでいる。
【００２８】
拡開片２１は、本体部１１の壁部から一端側に向かって拡開するよう突出し、羽状に広がった態様とされている。この拡開片２１は、本体部１１のフランジ１７に連結され、軸線Ｇ方向に沿っての長さが本体部１１の中央部に至る程度とされている。これにより、図４（ａ）に示すように、フランジ１７との連結部分を基端部２１ａとして、拡開方向Ａに可撓性（バネ機能）を有している。
【００２９】
この拡開片２１は、所定厚さＴの板状を呈している。ここでの拡開片２１の所定厚さＴは、フランジ１７における肉厚ｔ及び軸線Ｇ方向の所定長ｌよりも小さくされている。これにより、拡開片２１が拡開方向Ａに撓むことで折損することが防止されている。換言すると、フランジ１７における肉厚ｔ及び軸線Ｇ方向の所定長ｌが拡開片２１の所定厚さＴよりも厚くされ、よって、拡開片２１は折損防止機能を有している。
【００３０】
図５は、本実施形態のＬＥＤ固定具の成形を説明するための図である。図５（ａ）に示すように、ＬＥＤ固定具１０は、樹脂による一体成形で製造されている。具体的には、まず、上型Ｃ１と下型Ｃ２とから成る金型Ｃを用意し、これら上型Ｃ１と下型Ｃ２とを積層配置する。これにより、上記ＬＥＤ固定具１０の外形形状に対応する空間を、上型Ｃ１と下型Ｃ２との間に形成する。そして、この空間に溶融樹脂Ｗを射出し、溶融樹脂Ｗが固化した後、図５（ｂ）に示すように、上型Ｃ１と下型Ｃ２とを上下方向を型抜き方向として開く。これにより、ＬＥＤ固定具１０が一体成形で形成されこととなる。
【００３１】
ここで、ＬＥＤ固定具１０を形成する樹脂の種類は、コスト条件、耐水性条件、及び成形条件に少なくとも基づいて設定されている。具体的には、コスト条件を重視する場合には、ＰＰ（ポリプロピレン）、ＰＥ（ポリエチレン）、ＡＢＳ樹脂、ＰＶＣ（塩化ビニル）等が用いられる。耐水性条件を重視する場合には、ＰＶＣ、ＰＥ、ＰＰ、ＡＢＳ樹脂、エラストマが用いられる。成形条件を重視する場合には、ＰＰ、ＰＥ、ＡＢＳ樹脂、ナイロン樹脂、ＰＯＭ（ポリアセタール）、エラストマが用いられる。ここでのＬＥＤ固定具１０を形成する樹脂としては、ＰＯＭが用いられている。
【００３２】
また、ＬＥＤ固定具１０の樹脂色は、ＬＥＤ光の指向性に応じて設定されている。ここでは、上記のようにＬＥＤ２が拡散型とされているため、ＬＥＤ光を大きく見せるべく、白色又は乳白色の樹脂色が設定されている。
【００３３】
次に、上述したＬＥＤ固定具１０を用いて板部材３の貫通孔４にＬＥＤ２を固定する場合について図６，７を参照しつつ説明する。なお、板部材３においては、ＬＥＤ光の出射方向側の主面を表面３ａとし、その反対側の主面を裏面３ｂとしている。
【００３４】
まず、板部材３の貫通孔４に対しＬＥＤ固定具１０を押し込むように挿入して固定する。具体的には、図６（ａ）及び図７（ａ）に示すように、裏面３ｂを挿入面として、貫通孔４に本体部１１を一端側から同軸に進入させて挿入する。このとき、上述したように、本体部１１の一端側の角部に面取り面１６が形成されているため、スムーズに本体部１１が貫通孔４に進入する。また、本体部１１の進入と共に、爪２０のテーパ面２０ａが貫通孔４の内面に接触して爪２０が内方に押圧され、該爪２０が内方へ撓む（図６（ａ）参照）。
【００３５】
そして、図６（ｂ）に示すように、爪２０が露出するまで本体部１１の一端側が貫通孔４から挿出したとき、爪２０が撓んだ状態から復帰し、その結果、本体部１１が抜け戻らないように板部材３の表面３ａに爪２０が軸線Ｇ方向に係止される。
【００３６】
併せて、図７（ｂ）に示すように、拡開片２１が裏面３ｂと接触し、本体部１１が抜け出ないように拡開片２１が裏面３ｂに軸線Ｇ方向に係止される。これと共に、拡開片２１においては、拡がるように撓むことから、撓んだ状態から戻ろうとする弾性力（復元力）が働く。よって、拡開片２１は、かかる弾性力でもって裏面３ｂを一端側に付勢することになる。その結果、爪２０と拡開片２１とが協働し、これらで板部材３が強く挟持されることになり、板部材３に対しＬＥＤ固定具１０が軸線Ｇ方向（板部材３の厚さ方向）に締め付けられるようにして固定される。
【００３７】
そして、板部材３に固定されたＬＥＤ固定具１０の孔１４に対し、その他端側からＬＥＤ２を同軸に挿入する。これにより、ＬＥＤ２にあっては、段付きテーパ状の内面１５でもって係止されて嵌合され、ＬＥＤ固定具１０の本体部１１に固定（保持）される。その結果、板部材３の貫通孔４にＬＥＤ２が固定されることになる。
【００３８】
以上、本実施形態では、本体部１１の一端側に設けられた抜戻り防止部１２が内方に撓むため、該抜戻り防止部１２で阻害されることなくスムーズに本体部１１が貫通孔４に挿入される。さらに、抜出し防止部１３が板部材３の裏面３ｂを付勢するため、板部材３に係止された抜戻り防止部１２及び抜出し防止部１３によって板部材３がその厚さ方向に強く挟持されることとなり、厚さ方向に締め付けられるよう本体部１１が板部材３に固定されることとなる。
【００３９】
従って、本実施形態によれば、ＬＥＤ固定具１０を板部材３の貫通孔４に挿入するだけで（つまり、ワンタッチで）、ＬＥＤ固定具１０を貫通孔４に固定することができる。そして、このＬＥＤ固定具１０の孔１４にＬＥＤ２を挿入するだけで（つまり、ワンタッチで）、ＬＥＤ２をＬＥＤ固定具１０に固定することができる。すなわち、ＬＥＤ２を板部材３の貫通孔４に容易に固定して取り付けることが可能となる。
【００４０】
よって、本実施形態のＬＥＤ固定具１０を使用することで、孔開け加工がなされた既存の基板等の板部材３に対しても、簡単にＬＥＤ２取り付けて固定することができる。これにより、作業が困難なために製作不能であったＬＥＤ表示板の製作も、新規の板部材を要することなく低コストで実現可能となる。
【００４１】
ここで、上型Ｃ１及び下型Ｃ２を用いてＬＥＤ固定具１０を一体成形する場合においては、かかる成形上、これら上型Ｃ１及び下型Ｃ２の抜き方向を考慮する必要がある。この点、本実施形態では、上述したように、抜戻り防止部１２及び抜出し防止部１３が、軸線Ｇ方向回りに互いに９０°ずれて配置されている。よって、本実施形態のような抜戻り防止部１２及び抜出し防止部１３を備えたＬＥＤ固定具１０でも、上型Ｃ１及び下型Ｃ２を用いて一体成形で形成する際、上型Ｃ１及び下型Ｃ２を好適に上下に開くことができ、精度よく一体成形を行うことが可能となる。
【００４２】
また、本実施形態では、上述したように、本体部１１の孔１４を構成する内面１５が、一端側に向かって狭まるような段付きテーパ面とされている。よって、例えば製造メーカや仕様の相異等によってＬＥＤ２のサイズ（径）が種々異なるとしても、ＬＥＤ２を孔内に挿入するだけでＬＥＤ２を孔１４に確実に固定することができる。
【００４３】
特に、本実施形態のように、ＬＥＤ２が収縮チューブ２ｄで覆われている場合、収縮チューブ２ｄを含むＬＥＤ２のサイズはばらつき易いため、サイズが種々異なるＬＥＤ２を孔１４に確実に固定するという上記作用効果が効果的に発揮される。
【００４４】
また、本実施形態のＬＥＤ固定具１０は、上述したように、ＬＥＤ光の指向性が低いことから、その樹脂色が白色又は乳白色に設定されている。これにより、ＬＥＤ固定具１０の内部でＬＥＤ光を乱反射させ、ＬＥＤ光を大きく見せることが可能となる。
【００４５】
なお、ＬＥＤ固定具１０の樹脂色は、ＬＥＤ光の指向性に応じて設定されていればよく、例えば砲弾タイプがＬＥＤ２として用いられてＬＥＤ光の指向性が高くされている場合には、黒色に設定される。この場合、ＬＥＤ光の指向性を強調させ、ＬＥＤ光を鮮明に見せることができる。つまり、本実施形態においては、成形色を適宜設定することにより、ＬＥＤ２の明るさに関する見え方を調整することが可能となる。
【００４６】
なお、接着硬化性の有する接着剤ＰによってＬＥＤ２を板部材３に固定する従来のＬＥＤ固定（図１０参照）では、接着剤Ｐが経年劣化するため、時間の経過と共にＬＥＤ２の信頼性（例えば固定性、防水性及び腐食性）が低下してしまうという問題もある。これに対し、本実施形態では、ＬＥＤ２の固定に際し接着剤Ｐを不要にでき、信頼性の低下を抑制することが可能となる。
【００４７】
また、本実施形態では、上述したように、本体部１１において爪２０の周辺に空間（スリット）Ｓが形成されていることから、撓む爪２０が本体部１１に接触するのを抑制することができる。よって、爪２０が有する可撓性を充分に発揮させることが可能となる。
【００４８】
また、本実施形態では、上述したように、本体部１１の一端側の角部に面取り面１６が形成されているため、本体部１１を一端側から貫通孔４へとスムーズに進入させることができる。さらに、このように面取り面１６が形成されると、ＬＥＤ２の発光面が拡がるようになり、ＬＥＤ２を明るく見せることも可能となる。
【００４９】
以上、本発明の好適な実施形態について説明したが、本発明に係るＬＥＤ固定具及びＬＥＤ表示板は、実施形態に係る上記ＬＥＤ固定具１０及びＬＥＤ表示板１に限られるものではなく、各請求項に記載した要旨を変更しない範囲で変形し、又は他のものに適用したものであってもよい。
【００５０】
例えば上記実施形態のＬＥＤ固定具１０では、本体部１１の孔１４を構成する内面１５を段付きテーパ状としたが、図８（ａ）に示すように、内面１５をテーパ状としてもよい。この場合においても、サイズが種々異なるＬＥＤ２を孔１４に確実に固定するという上記作用効果が奏される。また、図８（ｂ）に示すように、内面１５を傾斜させずに軸線Ｇ方向に沿う形状としてもよい。この場合、例えば本体部１１の材質に起因する弾性力でもって孔１４にＬＥＤ２が保持され固定される。
【００５１】
また、抜戻り防止部１２を、図９に示すように、可撓アーム１９及び爪２０を含んで構成してもよい。すなわち、可撓アーム１９は、抜戻り防止部１２における可撓性に関して支配的な要素であって、一端側を上にするＵ字状の空間（スリット）Ｓが壁部１８に形成されるようにして成り、軸線Ｇ方向に延びている。この可撓アーム１９は、その基端部１９ａを中心に径方向内側に撓むようになっている。爪２０は、抜戻り防止部１２における板部材３との係止に関して支配的な要素であって、可撓アーム１９の外面において外方に凸状となるよう設けられている。
【００５２】
なお、ＬＥＤ固定具１０の材質として蓄光材を用い、光をためて発光する特性をＬＥＤ固定具１０に付与してもよい。或いは、ＬＥＤ固定具１０の材質として蛍光材を用い、光を受けることで発光する特性をＬＥＤ固定具１０に付与してもよい。これらの場合、ＬＥＤ２に波長の短いＬＥＤ光（例えば青色のＬＥＤ光や紫外線等）を出射するものを用いると、かかる特性を好適に発揮させることができる。
【００５３】
ちなみに、本発明のＬＥＤ固定具の対象となる被固定部材は、上記板部材３に限定されるものでない。つまり、本発明のＬＥＤ固定具は、照明ライト、育成ライト、イルミネーション、ＬＥＤアレイ、ＬＥＤ信号、ディスプレイ、バックライト等においてＬＥＤを固定し取り付けるためのものとして用いることができる。
【符号の説明】
【００５４】
１…ＬＥＤ表示板、２…ＬＥＤ、３…板部材（被固定部材）、４…貫通孔、１０…ＬＥＤ固定具、１１…本体部、１２…抜戻り防止部（第１係止部）、１３…抜出し防止部（第２係止部）、１４…孔、１５…内面、２０…爪、２１…拡開片、Ｇ…軸線。
【図１】
2010267861.tif 000003
【図２】
2010267861.tif 000004
【図３】
2010267861.tif 000005
【図４】
2010267861.tif 000006
【図５】
2010267861.tif 000007
【図６】
2010267861.tif 000008
【図７】
2010267861.tif 000009
【図８】
2010267861.tif 000010
【図９】
2010267861.tif 000011
【図１０】
2010267861.tif 000012